(57)【要約】端末は第１の無線ネットワークと通信して、測定するために第２の無線ネットワーク内のセルのリストを取得する。端末は圧縮モードで動作し、異なる測定目的（例えば、ＲＳＳＩ測定、ＢＳＩＣ識別、およびＢＳＩＣ再確認）のために複数の伝送ギャップパターン系列を受信する。端末は、その指定された目的または代替の目的のために各伝送ギャップを利用する。各伝送ギャップに関して、伝送ギャップのために指定された目的が確認され、伝送ギャップが代替の目的のために使用可能であるかどうも、１つまたは複数の基準に基づいて決定される。少なくとも１つの基準が満たされ、そうでなければ指定された目的のために使用される場合、伝送ギャップは代替の目的のために使用される。例えば、ＲＳＳＩ測定のために指定された伝送ギャップは、ＢＳＩＣ識別のために使用されることが可能であり、ＢＳＩＣ識別またはＢＳＩＣ再確認のために指定された伝送ギャップは、ＲＳＳＩ測定のために使用されることが可能である等々である。
2009528800.tif 000002
【特許請求の範囲】
【請求項１】
伝送ギャップのために指定された目的を決定し、少なくとも１つの基準に基づいて、前記伝送ギャップが代替の目的のために使用可能であるかどうかを決定し、前記少なくとも１つの基準が満たされる場合、前記伝送ギャップを前記代替の目的のために使用するように構成された少なくとも１つのプロセッサと、
前記少なくとも１つのプロセッサに結合されたメモリと
を備える装置。
【請求項２】
前記少なくとも１つのプロセッサが、前記少なくとも１つの基準が満たされない場合、前記伝送ギャップを前記指定された目的のために使用するように構成された、請求項１に記載の装置。
【請求項３】
前記伝送ギャップのために前記指定された目的が、基地トランシーバ局識別コード（ＢＳＩＣ）識別またはＢＳＩＣ再確認であり、前記少なくとも１つのプロセッサが、前記伝送ギャップが受信信号強度表示器（ＲＳＳＩ）測定のために使用可能であるかどうかを決定するように構成された、請求項１に記載の装置。
【請求項４】
ＲＳＳＩ走査が完了しておらず、識別のためにセルが利用可能でない場合、前記伝送ギャップがＲＳＳＩ測定のために使用可能である、請求項３に記載の装置。
【請求項５】
前記伝送ギャップのために指定された目的が、受信信号強度表示器（ＲＳＳＩ）測定であり、前記少なくとも１つのプロセッサが、前記伝送ギャップが基地トランシーバ局識別コード（ＢＳＩＣ）識別のために使用可能であるかどうかを決定するように構成された、請求項１に記載の装置。
【請求項６】
セルが識別されていない場合、前記伝送ギャップがＢＳＩＣ識別のために使用可能である、請求項５に記載の装置。
【請求項７】
セルが識別されておらず、少なくとも１つの新しいセルに関してＲＳＳＩ測定が行われている場合、前記伝送ギャップがＢＳＩＣ識別のために使用可能である、請求項５に記載の装置。
【請求項８】
前記伝送ギャップのために指定された目的が、基地トランシーバ局識別コード（ＢＳＩＣ）識別であり、前記少なくとも１つのプロセッサが、前記伝送ギャップがＢＳＩＣ再確認のために使用可能であるかどうかを決定するように構成された、請求項１に記載の装置。
【請求項９】
前記少なくとも１つのプロセッサが、最も古く再確認された識別されたセルから始まって、一度に１つの識別されたセルを選択し、前記選択されたセルが前記少なくとも１つの基準を満たす場合、前記伝送ギャップを前記選択されたセルのＢＳＩＣ再確認のために使用するように構成された、請求項８に記載の装置。
【請求項１０】
前記識別されたセルが十分な信号強度を有し、所定の期間内に再確認されていない場合、前記伝送ギャップがＢＳＩＣ再確認のために使用可能である、請求項８に記載の装置。
【請求項１１】
前記伝送ギャップのために指定された目的が、基地トランシーバ局識別コード（ＢＳＩＣ）再確認であり、前記少なくとも１つのプロセッサが、前記伝送ギャップがＢＳＩＣ識別のために使用可能であるかどうかを決定するように構成された、請求項１に記載の装置。
【請求項１２】
任意の識別されたセルの再確認のために使用可能でない場合、前記伝送ギャップがＢＳＩＣ識別のために使用可能である、請求項１１に記載の装置。
【請求項１３】
伝送ギャップのために指定された目的を決定することと、
少なくとも１つの基準に基づいて、前記伝送ギャップが代替の目的のために使用可能であるかどうかを決定することと、
前記少なくとも１つの基準が満たされる場合、前記伝送ギャップを前記代替の目的のために使用することと
を備える方法。
【請求項１４】
前記伝送ギャップが代替の目的のために使用可能であるかどうかを前記決定することが、
前記伝送ギャップのために前記指定された目的を基地トランシーバ局識別コード（ＢＳＩＣ）識別またはＢＳＩＣ再確認のためであるとして識別することと、
ＲＳＳＩ走査が完了しているかどうか、任意のセルが識別のために利用可能であるかどうか、またはそれらの組合せに基づいて、前記伝送ギャップが受信信号強度表示器（ＲＳＳＩ）測定のために使用可能であるかどうかを決定することと
を備える、請求項１３に記載の方法。
【請求項１５】
前記伝送ギャップが代替の目的のために使用可能であるかどうかを前記決定することが、
前記伝送ギャップのために前記指定された目的を受信信号強度表示器（ＲＳＳＩ）測定のためであるとして識別することと、
任意のセルが識別されているかどうか、少なくとも１つの新しいセルに関して、ＲＳＳＩ測定が行われているかどうか、またはそれらの組合せに基づいて、前記伝送ギャップが基地トランシーバ局識別コード（ＢＳＩＣ）識別のために使用可能であるかどうかを決定することと
を備える、請求項１３に記載の方法。
【請求項１６】
前記伝送ギャップが代替の目的のために使用可能であるかどうかを前記決定することが、
前記伝送ギャップのために前記指定された目的を基地トランシーバ局識別コード（ＢＳＩＣ）識別のためであるとして識別することと、
識別されたセルが十分な信号強度を有するかどうか、前記識別されたセルが所定の期間内に再確認されてないかどうか、またはそれらの組合せに基づいて、前記伝送ギャップがＢＳＩＣ再確認のために使用可能であるかどうかを決定することと
を備える、請求項１３に記載の方法。
【請求項１７】
前記伝送ギャップが代替の目的のために使用可能であるかどうかを前記決定することが、
前記伝送ギャップのために前記指定された目的を基地トランシーバ局識別コード（ＢＳＩＣ）再確認のためであるとして識別することと、
任意のセルが識別されているかどうか、前記伝送ギャップが任意の識別されたセルの再確認のために利用可能であるかどうか、またはそれらの組合せに基づいて、前記伝送ギャップがＢＳＩＣ識別のために使用可能であるかどうかを決定することと
を備える、請求項１３に記載の方法。
【請求項１８】
伝送ギャップのために指定された目的を決定するための手段と、
少なくとも１つの基準に基づいて、前記伝送ギャップが代替の目的のために使用可能かどうかを決定するための手段と、
前記少なくとも１つの基準が満たされる場合、前記伝送ギャップを前記代替の目的のために使用するための手段と
を備える装置。
【請求項１９】
前記伝送ギャップが代替の目的のために使用可能であるかどうかを決定するための前記手段が、
前記伝送ギャップのために前記指定された目的を基地トランシーバ局識別コード（ＢＳＩＣ）識別またはＢＳＩＣ再確認のためであるとして識別するための手段と、
ＲＳＳＩ走査が完了しているかどうか、任意のセルが識別のために利用可能であるかどうか、またはそれらの組合せに基づいて、前記伝送ギャップが受信信号強度表示器（ＲＳＳＩ）測定のために使用可能であるかどうかを決定するための手段と
を備える、請求項１８に記載の装置。
【請求項２０】
前記伝送ギャップが代替の目的のために使用可能であるかどうかを決定するための前記手段が、
前記伝送ギャップのために前記指定された目的を基地トランシーバ局識別コード（ＢＳＩＣ）再確認のためであるとして識別するための手段と、
任意のセルが識別されているかどうか、前記伝送ギャップが任意の識別されたセルの再確認のために利用可能であるかどうか、またはそれらの組合せに基づいて、前記伝送ギャップがＢＳＩＣ識別のために使用可能であるかどうかを決定するための手段と
を備える、請求項１８に記載の装置。
【請求項２１】
伝送ギャップのために指定された目的を決定し、
少なくとも１つの基準に基づいて、前記伝送ギャップが代替の目的のために使用可能であるかどうかを決定し、
前記少なくとも１つの基準が満たされる場合、前記伝送ギャップを前記代替の目的で使用する
ために、無線装置内で動作可能な命令を記憶するためのプロセッサ可読媒体。
【請求項２２】
前記伝送ギャップのために前記指定された目的を基地トランシーバ局識別コード（ＢＳＩＣ）識別またはＢＳＩＣ再確認のためであるとして識別し、
ＲＳＳＩ走査が完了しているかどうか、任意のセルが識別のために利用可能であるかどうか、またはそれらの組合せに基づいて、前記伝送ギャップが受信信号強度表示器（ＲＳＳＩ）測定のために使用可能であるかどうかを決定する
ために動作可能な命令をさらに記憶するための、請求項２１に記載のプロセッサ可読媒体。
【請求項２３】
前記伝送ギャップのために前記指定された目的を基地トランシーバ局識別コード（ＢＳＩＣ）再確認のためであるとして識別し、
任意のセルが識別されているかどうか、前記伝送ギャップが任意の識別されたセルの再確認のために利用可能であるかどうか、またはそれらの組合せに基づいて、前記伝送ギャップがＢＳＩＣ識別のために使用可能であるかどうかを決定する
ために動作可能な命令をさらに記憶するための、請求項２１に記載のプロセッサ可読媒体。
【請求項２４】
測定されることになるセルの第２のリストに関して無線周波数（ＲＦ）チャネルの第１のリストを決定するように構成された少なくとも１つのプロセッサであって、前記第１のリスト内の前記ＲＦチャネルの各々に関して受信信号強度表示器（ＲＳＳＩ）測定を取得して、各ＲＦチャネルに関する前記ＲＳＳＩ測定を前記ＲＦチャネル上で送信する前記第２のリスト内の前記少なくとも１つのセルの各々に帰するために、前記第１のリスト内の各ＲＦチャネルが前記第２のリスト内の少なくとも１つのセルによる伝送のために使用される少なくとも１つのプロセッサと、
前記少なくとも１つのプロセッサに結合されたメモリと
を備える装置。
【請求項２５】
識別されることになるセルのリストを決定し、前記リスト内の各セルに関して、もしあれば、前記セルを識別するために不成功に使用されたフレームを追跡し、前記セルに、前記セルを識別するためにこれまで使用されなかった少なくとも１つのフレームを割り当てるように構成された少なくとも１つのプロセッサと、
前記少なくとも１つのプロセッサに結合されたメモリと
を備える装置。
【請求項２６】
前記少なくとも１つのプロセッサが、伝送ギャップに対応するフレームを確認して、前記リストからセルを選択し、前記対応するフレームが前記選択されたセルを識別するためにこれまで使用されなかった場合、識別のために前記伝送ギャップを前記選択されたセルに割り当てるように構成された、請求項２５に記載の装置。
【発明の詳細な説明】
【技術分野】
【０００１】
本開示は、一般に通信に関し、より詳細には、非同期通信ネットワークにおけるセル測定に関する。
【背景技術】
【０００２】
無線通信ネットワークは、音声、パケットデータ、ブロードキャスト、メッセージングなど、様々な通信サービスを提供するために広く配備される。これらの無線ネットワークは、利用可能なネットワークリソースを共有することによって複数のユーザ向けの通信をサポートすることが可能であり得る。かかる無線ネットワークの例は、符号分割多元接続（ＣＤＭＡ）ネットワーク、時分割多元接続（ＴＤＭＡ）ネットワーク、および周波数分割多元接続（ＦＤＭＡ）ネットワークを含む。これらの無線ネットワークは、当技術分野で知られている、広帯域ＣＤＭＡ（Ｗ−ＣＤＭＡ）、ｃｄｍａ２０００、移動通信グローバルシステム（Global System for Mobile Communications）（ＧＭＳ）など、様々な無線技術を利用することも可能である。
【０００３】
端末（例えば、移動通信電話）は、Ｗ−ＣＤＭＡネットワークを実施するユニバーサルモバイル電気通信システム（Universal Mobile Telecommunication System）（ＵＭＴＳ）ネットワークおよびＧＳＭネットワークなど、複数の無線ネットワークと通信することが可能であり得る。各無線ネットワークは、通常、多くのセルを含み、用語「セル」は、その用語が使用されるコンテキストに応じて、基地局または基地局の受信可能範囲領域を指す場合がある。端末は、通常、任意の所与の時点で、１つの無線ネットワークだけの中でサービス提供するセルと通信するが、その他の無線ネットワーク内のセルに関して定期的に測定することが可能である。セル測定は、受信信号強度、周波数、タイミング、およびセルの識別性に関する測定を含み得る。セル測定は、端末が、その他の無線ネットワーク内の任意のセルが、現在のサービス提供しているセルよりもより良好かどうかを確認することを可能にする。その他の無線ネットワーク内により良好なセルが見つかった場合、端末は、その他の無線ネットワークに切り換えて、より良好なセルからサービスを受信することが可能である。
【０００４】
可能な限り素早くかつ効率的にセル測定を行うことが所望される。例えば、端末は、移動体であってよく、サービス提供している無線ネットワークの受信可能範囲の外に移動していてもよい。セル測定を完了して、より良好なセルをより早く報告することによって、端末は、呼出しが中断される前により良好なセルに渡されることが可能である。しかし、ＧＳＭネットワークおよびＵＭＴＳネットワークは、非同期的に動作する可能性があり、結果として、ＧＳＭネットワーク内のセルのタイミングは、ＵＭＴＳネットワーク内のセルのタイミングに基づいて確認され得ない、かつ逆も同様である。さらに、各ネットワーク内のセルは、互いに非同期的に動作することが可能である。ネットワークでの非同期的な動作およびセルのレベルはセル測定を複雑にする。
【０００５】
したがって、非同期通信ネットワーク内でセル測定を効率的に行うための技術の必要が当技術分野に存在する。
【発明の開示】
【発明の概要】
【０００６】
非同期通信ネットワーク（例えば、ＧＳＭネットワークおよびＵＭＴＳネットワーク）内でセル測定を行うために伝送ギャップを効率的に利用するための技術が本明細書で説明される。端末は、１つの無線ネットワーク（例えば、ＵＭＴＳネットワーク）と通信して、測定するためにもう１つの無線ネットワーク（例えば、ＧＳＭネットワーク）内のセルのリストを取得する。端末は圧縮モードで動作し、異なる測定目的で、複数の伝送ギャップパターン系列を受信する。例えば、端末は（１）ギャップ１と呼ばれる、リスト内のセルに関して受信信号強度表示器（ＲＳＳＩ）測定を行うための伝送ギャップパターン系列と、（２）ギャップ２と呼ばれる、測定されているセルを識別するために基地トランシーバ局識別コード（base transceiver station identity code）（ＢＳＩＣ）識別を実行するための伝送ギャップパターン系列と、（３）ギャップ３と呼ばれる、識別されているセルを再確認するためにＢＳＩＣ再確認を実行するための伝送ギャップパターン系列とを取得することが可能である。各伝送ギャップパターン系列は、セル測定に使用され得る伝送内のギャプ（すなわち、伝送ギャップ）を含む。
【０００７】
端末は、その指定された目的のために、または代替の目的のために、各伝送ギャップを利用することが可能である。各伝送ギャップに関して、伝送ギャップのために指定された目的が確認される。伝送ギャップが代替の目的のために使用可能であるかどうかも、少なくとも１つの基準に基づいて決定される。少なくとも１つの基準が満たされ、そうでなければ指定された目的のために使用される場合、伝送ギャップは代替の目的のために使用される。
【０００８】
伝送ギャップのために指定された目的はＢＳＩＣ識別またはＢＳＩＣ再確認であり得、例えば、第１のＲＳＳＩ走査が完了されておらず、識別のためにセルが利用可能でない場合、伝送ギャップはＲＳＳＩ測定のために使用されることが可能である。指定された目的はＢＳＩＣ再確認であり得、例えば、セルが識別されていない場合、または伝送ギャップが任意の識別されたセルの再確認のために使用可能でない場合、伝送ギャップはＢＳＩＣ識別のために使用されることが可能である。指定された目的はＲＳＳＩ測定であり得、例えば、セルが識別されていない場合および／または少なくとも１つの新しいセルに関してＲＳＳＩ測定が行われている場合、伝送ギャップはＢＳＩＣ識別のために使用されることが可能である。指定された目的はＢＳＩＣ識別であり得、識別されたセルが十分強く、特定の期間内に再確認されておらず、伝送ギャップを用いて再確認され得る場合、伝送ギャップはＢＳＩＣ再確認のために使用されることが可能である。一般に、伝送ギャップは、任意の基準に基づいて代替の目的のために使用されることが可能である。
【０００９】
本発明の様々な態様および実施形態が、下でさらに詳細に説明される。
【００１０】
本発明の特徴および性質は、その全体にわたって同じ参照符号がそれに対応して識別する図面と共に下に記載される詳細な説明からより明らかになるであろう。
【詳細な説明】
【００１１】
用語「例示的」は、本明細書で「例、事例または例示として機能すること」を意味するために使用される。本明細書で「例示的」として説明される任意の実施形態または構成は、その他の実施形態または構成に勝って好ましいまたは有利であると解釈されるとは限らない。
【００１２】
本明細書で説明されるセル測定技術は、様々な非同期通信ネットワークに関して使用されることが可能である。明瞭さのために、これらの技術は、ＧＳＭネットワークおよびＵＭＴＳネットワークに関して下で説明される。
【００１３】
図１は、ＧＳＭネットワーク１１０とＵＭＴＳネットワーク１２０とを含む公衆陸上移動体ネットワーク（public land mobile network）（ＰＬＭＮ）１１０を示す。用語「ネットワーク」および「システム」は、多くの場合、交換可能に使用される。ＧＳＭは、音声サービスおよび低レートから中レートのパケットデータサービスを提供することができる無線技術である。ＧＳＭネットワークは世界中で広く配備される。Ｗ−ＣＤＭＡは、拡張されたサービスおよび能力（例えば、より高いデータ転送速度、同時の音声およびデータ呼出など）を提供することができる新しい無線技術である。ＵＭＴＳネットワーク１２０は、Ｗ−ＣＤＭＡを実施し、ＵＭＴＳ地上波無線アクセスネットワーク（UMTS Terrestrial Radio Access Network）（ＵＴＲＡＮ）とも呼ばれる。用語「ＵＭＴＳ」および「Ｗ−ＣＤＭＡ」は、以下の説明において交換可能に使用される。ＧＳＭネットワーク１１０およびＵＭＴＳネットワーク１２０は、異なる無線技術（ＧＳＭおよびＷ−ＣＤＭＡ）を用いるが、同じサービスプロバイダまたは同じネットワークオペレータに属す、２つの無線ネットワークである。ＧＳＭおよびＵＭＴＳは、公に利用可能である、「三世代パートナーシッププロジェクト」（３ＧＰＰ）と呼ばれるコンソーシアムからの文書で説明される。
【００１４】
ＧＳＭネットワーク１１０は、ＧＳＭネットワークの受信可能範囲領域内の端末と通信する基地局１１２を含む。基地局は、端末と通信し、ノードＢ、基地トランシーバ局（ＢＴＳ）、アクセスポイントなどとも呼ばれる場合がある固定局である。基地局コントローラ（ＢＳＣ）は基地局１１２に結合して、これらの基地局に対して調整および制御を提供する。ＵＭＴＳネットワーク１２０は、ＵＭＴＳネットワークの受信可能範囲領域内の端末と通信する基地局１２２を含む。無線ネットワークコントローラ（ＲＮＣ）１２４は基地局１２２と結合して、これらの基地局に対して調整および制御を提供する。ＲＮＣ１２４、は、ＧＳＭネットワークとＵＭＴＳネットワークの間の網間接続をサポートするためにＢＳＣ１１４と通信する。
【００１５】
マルチモード端末１５０（例えば、デュアルモードの移動通信電話）は、通常、任意の所与の時点で、１つの無線ネットワークを用いて、ＧＳＭネットワーク１１０およびＵＭＴＳネットワーク１２０と通信することが可能である。この能力は、ユーザが同じ端末を用いて、ＵＭＴＳの性能利点とＧＳＭの受信可能範囲の利点とを取得することを可能にする。端末１５０は、固定であってもよく、または移動体であってもよく、ユーザ装置（ＵＥ）、移動体局（ＭＳ）、移動体装置（ＭＥ）などと呼ばれる場合もある。端末１５０は、移動通信電話、携帯情報端末（ＰＤＡ）、無線モデム、無線通信装置、加入者装置などであり得る。
【００１６】
図２は、ＵＭＴＳ内のダウンリンクに関するフレーム構造を示す。このフレーム構造は、端末のためにユーザ特定データを運ぶ、ダウンリンク専用の物理チャネル（ＤＰＣＨ）のために使用される。データ伝送に関するタイムラインは無線フレームに分割される。各無線フレームは、制御チャネル上で送信される１２ビットのシステムフレーム番号（ＳＦＮ）によって識別される。ＳＦＮは、特定の時間にゼロにリセットされ、その後、各無線フレームに関して１つだけ増分され、４０９５の最大値に達した後、ゼロにラップアラウンドする。各無線フレームは、１０ミリ秒（ｍｓ）の期間を有し、スロット０からスロット１４としてラベルづけされる、１５個のスロットにさらに区分される。各スロットは、ユーザ特定データ向けの２個のデータフィールド（データ１およびデータ２）と、電力制御情報向けの送信電力制御（ＴＰＣ）フィールドと、フォーマット情報（例えば、送信ブロックの数、送信ブロックのサイズなど）向けのトランスポートフォーマットの組合せ表示器（ＴＦＣＩ）フィールドと、パイロット向けのパイロットフィールドとを含む。
【００１７】
図３は、ＧＳＭ内のフレーム構造を示す。データ伝送に関するタイムラインはスーパーフレームに分割される。各スーパーフレームは、６．１２秒の期間を有し、１３２６個のＴＤＭＡフレームを含む。スーパーフレームは、（図３に示されるように）５１フレームの２６個マルチフレームまたは２６フレームの５１個のマルチフレームに区分されることが可能である。ＧＳＭ内の制御チャネル／オーバヘッドチャネルは、５１フレームのマルチフレーム構造を使用する。５１フレームの各マルチフレームは、ＴＤＭＡフレーム０から５０とラベルづけされる、５１個のＴＤＭＡフレームを含む。各ＴＤＭＡフレームは、４．６１５ｍｓの期間を有する。以下の説明で、ＴＤＭＡフレームは、ＧＳＭフレームとも呼ばれる。
【００１８】
ＧＳＭ向けの制御チャネルは、周波数訂正チャネル（ＦＣＣＨ）と、同期化チャネル（ＳＣＨ）と、ブロードキャスト制御チャネル（ＢＣＣＨ）と、共通制御チャネル（ＣＣＣＨ）とを含む。ＦＣＣＨは、端末がＦＣＣＨを送信するにＧＳＭセル関して周波数と粗いタイミング情報とを取得することを可能にするトーンを運ぶ。ＦＣＣＨは、５１フレームの各マルチフレームのＧＳＭフレーム０、１０、２０、３０および４０の中で送信される。ＳＣＨは、（１）端末のタイミングとフレームナンバリングとを同期化するために端末によって使用される削減されたＧＳＭフレーム番号（ＲＦＮ）と、（２）ＳＣＨを送信するＧＳＭセルを識別するＢＳＩＣとを運ぶ。ＳＣＨは、５１フレームの各マルチフレームのＧＳＭフレーム１、１１、２１、３１および４１の中で送信される。ＢＣＣＨはシステム情報を運び、５１フレームの各マルチフレームのＧＳＭフレーム２、３、４および５の中で送信される。ＣＣＣＨは制御情報を運び、アイドル端末のためにページングメッセージを運ぶページングチャネル（ＰＣＨ）を実施するためにも使用される。ＧＳＭ内の制御チャネルは、公に利用可能である、文書３ＧＰＰ  ＴＳ０５．０１で説明される。
【００１９】
ＧＳＭネットワーク１１０は、１つまたは複数の周波数帯域上で動作する。各周波数帯域は周波数の範囲を網羅して、いくつかの２００ｋＨｚ無線周波数（ＲＦ）チャネルに分割される。各ＲＦチャネルは、特定のＡＲＦＣＮ（絶対無線周波数チャネル番号）によって識別される。例えば、ＧＳＭ９００周波数帯域はＡＲＦＣＮ１から１２４までを含み、ＧＳＭ１８００周波数帯域はＡＲＦＣＮ５１２から８８５までを含み、ＧＳＭ１９００周波数帯域はＡＲＦＣＮ５１２から８１０までを含む。
【００２０】
各ＧＳＭセルは、ネットワークオペレータによってそのセルに割り当てられたＲＦチャネルのセット上でトラフィックデータとオーバヘッドデータとを送信する。セル間の干渉を低減するために、互いに近接して配置されたＧＳＭセルには、ＲＦチャネルの異なるセットが割り当てられ、結果として、これらのセルからの伝送は互いに干渉しない。各ＧＳＭセルは、そのセルに割り当てられた１つまたは複数のＲＦチャネル上でＦＣＣＨ、ＳＣＨ、およびＢＣＣＨを送信する。これらの制御チャネルを送信するために使用されるＲＦチャネルは、ＢＣＣＨキャリアと呼ばれる。
【００２１】
端末１５０は、例えば、音声呼出のために、ＵＭＴＳネットワーク１２０と通信することが可能である。端末１５０は、ＵＭＴＳネットワーク１２０から、最高で３２個のＧＳＭ近接セルと、最高で６４個のＵＭＴＳ近接セルとを含む、監視リストを受信することが可能である。監視リストは、監視セット、近接セルリストなどを呼ばれる場合もある。監視リストは、（１）ＢＣＣＨキャリアのＡＲＦＣＮおよび各ＧＳＭ近接セルのＢＳＩＣと、（２）ユニバーサルＡＲＦＣＮ（ＵＡＲＦＣＮ）および各ＵＭＴＳ近接セルのスクランブリングコードとを表示する。端末１５０は、より良好なセルを探すために、３ＧＰＰによって特定されるように、監視リスト内のＧＳＭセルおよびＵＭＴＳセルに関して測定を行う。
【００２２】
ＧＳＭネットワーク１１０で、近接セルは、上で留意されたように、セル内の干渉を回避するために、異なるＲＦチャネル上で送信する。したがって、ＧＳＭ近接セルに関して測定を行うために、端末１５０は、ＵＭＴＳサービス提供するセルから遠くにそのＲＦ受信機を調整する必要がある場合がある。遠くに調整する間は、端末１５０はＵＭＴＳサービス提供するセルからデータを受信することまたは当該セルにデータを送信することができない。ＵＭＴＳは、端末１５０がＵＭＴＳネットワークからのデータを失わずにＧＳＭセルに関して測定を行うことを可能にするための機構を提供する。
【００２３】
ＵＭＴＳは、ダウンリンク上で圧縮モードをサポートする。圧縮モードで、ＵＭＴＳサービス提供するセルは、無線フレームの一部の間だけ端末１５０にデータを送信し、次いで、無線フレームの残りの部分内で伝送ギャップを作成する。端末１５０は、ＧＳＭセルに関して測定を行うために、伝送ギャップの間、ＵＭＴＳネットワーク１２０を一時的に離れることが可能である。
【００２４】
図４は、ＵＭＴＳ内の圧縮モード伝送を示す。圧縮モードでは、端末１５０向けのユーザ特定データは、伝送ギャップパターン１および２を交互に並べることからなる、伝送ギャップパターン系列に従って送信される。各伝送ギャップパターンは、１つまたは複数の伝送ギャップを含む。各伝送ギャップは、１個の無線フレーム内で完全に発生する可能性があり、または２個の無線フレーム内全体に及ぶ可能性もある。伝送ギャップパターン系列は、以下のパラメータによって定義される。
【００２５】
ＴＧＰＲＣ（伝送ギャップパターン繰返しカウント）：伝送ギャップパターン系列内の伝送ギャップパターンの数。
【００２６】
ＴＧＳＮ（伝送ギャップ開始スロット番号）：伝送ギャップパターン内の第１の伝送ギャップスロットのスロット番号（スロット１から１４）。
【００２７】
ＴＧＬ１（伝送ギャップ長１）：各伝送ギャップパターン内の第１の伝送ギャップの期間（１から１４スロット）。
【００２８】
ＴＧＬ２（伝送ギャップ長２）：各伝送ギャップパターン内の第２の伝送ギャップの期間（１から１４スロット）。
【００２９】
ＴＧＤ（伝送ギャップ距離）：第１および第２の伝送ギャップの開始スロット間の期間（１５から２６９スロット）。
【００３０】
ＴＧＰＬ１（伝送ギャップパターン長１）：伝送ギャップパターン１の期間（１から１４４無線フレーム）。
【００３１】
ＴＧＰＬ２（伝送ギャップパターン長２）：伝送ギャップパターン２の期間（１から１４４無線フレーム）。
【００３２】
圧縮モードは、そのすべてが公に利用可能である、文書３ＧＰＰ  ＴＳ２５．２１２（４．４項）、２５．２１３（５．２．１項および５．２．２項）、ならびに２５．２１５（６．１項）で説明される。
【００３３】
図５は、３ＧＰＰ  ＴＳ２５．１３３に従ってＧＳＭセルを測定するための例示的なプロセス５００を示す。端末１５０は、例えば、ＵＭＴＳネットワーク１２０を用いた音声呼出の間に、プロセス５００を実行することが可能である。端末１５０は、ＵＭＴＳネットワーク１２０から、最高で３２個のＧＳＭ近接セルと、最高で６４個のＵＭＴＳセルとを有する監視リストを取得する。ＵＭＴＳネットワーク１２０は、ＢＳＩＣを検証して、ＧＳＭセルを測定するよう端末１５０に要求することができる。この場合、端末１５０は、監視リスト内のＧＳＭセルに関して受信信号強度を測定して、これらのＧＳＭセルに関してＲＳＳＩ測定のセットを取得する（ブロック５１０）。ＲＳＳＩ測定は、本明細書でギャップ１と呼ばれる、「ＧＳＭキャリアＲＳＳＩ測定」の目的を有する伝送ギャップパターン系列を使用して行われ得る。ブロック５１０内のＲＳＳＩ測定は下で詳細に説明される。
【００３４】
端末１５０は、これらのＧＳＭセルに関するＲＳＳＩ測定に基づいて、監視リスト内のＧＳＭセルを降順に整理する。したがって、端末１５０は、第１のＲＳＳＩ走査が完了し、監視リスト内のすべてのＧＳＭセルに関してＲＳＳＩ測定の初期の／第１のセットが取得されるまで、ブロック５２０に進まない。端末１５０は、次いで、ハンドオーバの候補である、最高で８個の最強ＧＳＭセルのＢＳＩＣを識別する（ブロック５２０）。ＢＳＩＣ識別は、本明細書でギャップ２と呼ばれる、「ＧＳＭ初期のＢＳＩＣ識別」の目的を有する伝送ギャップパターン系列を使用して実行されることが可能である。ブロック５２０のＢＳＩＣ識別も下で詳細に説明される。端末１５０は、各識別されたＧＳＭセルのＢＳＩＣを定期的に再確認する（ブロック５３０）。ＢＳＩＣ再確認は、本明細書でギャップ３と呼ばれる、「ＧＳＭ  ＢＳＩＣ再確認」の目的を有する伝送ギャップパターン系列を使用して実行されることが可能である。
【００３５】
図６は、端末１５０によって維持され得る３つのセルリストの図を示す。監視リストは、測定されることになる最高で３２個のＧＳＭ近接セルを含む。各ＲＳＳＩ走査で、端末１５０は、監視リスト内のすべてのＧＳＭセルに関してＲＳＳＩ測定を行い、端末１５０によって受信された８個の最強のＧＳＭセルである、上位８個のＧＳＭセルを提供する。ＢＳＩＣ＿ＩＤリストは、識別されていない上位８個のＧＳＭセルを含む。ＢＳＩＣ＿ＩＤリスト内のＧＳＭセルが識別されるときはいつでも、そのＧＳＭセルは再確認リストに移動される。再確認リスト内の各ＧＳＭセルは定期的に再確認される。再確認タイムアウト期間内に再確認されないＧＳＭセルは、ＢＳＩＣ＿ＩＤリストに送信し戻される。
【００３６】
ＢＳＩＣ＿ＩＤリストは、上位８個のＧＳＭセルを記憶して、もしあれば、上位８個の中にない、その他のＧＳＭセルを破棄する。識別タイムアウト期間内に識別されないＧＳＭセルは、このセルに関するＲＳＳＩ測定が、タイムアウト終了にまだ直面していないその他のＧＳＭセルに関するＲＳＳＩ測定より強い場合でさえ、ＢＳＩＣ＿ＩＤリストの一番下に送信される。ＢＳＩＣ＿ＩＤリストは、２個のサブリスト（ＢＳＩＣ＿ＩＤタイムアウトにまだ直面していないＧＳＭセルの非タイムアウトサブリストおよびＢＳＩＣ＿ＩＤタイムアウトに直面したＧＳＭセルのタイムアウトサブリスト）を有すると考えられてよい。各サブリスト内のＧＳＭセルは、それらのＲＳＳＩ測定に基づいて、独立して整理される。タイムアウトリストは、非タイムアウトリストの下に添付される。
【００３７】
図６の３つのリストは、経時的に動的に更新されることが可能である。監視リストは、ネットワークからのシグナリング（例えば、測定制御メッセージ（ＭＣＭ）メッセージ）を経由して、新しいＧＳＭセルを用いて更新されることが可能である。ＢＳＩＣ＿ＩＤリストおよび再確認リストは、ＧＳＭセルが識別されると更新されることが可能である。ＧＳＭへのハンドオーバが望まれるまたは必要である場合、任意の所与の時点で、再確認リスト内に少なくとも１つの良好なＧＳＭセルを有することが所望される。
【００３８】
端末１５０が圧縮モードを要求する場合、ＵＭＴＳネットワーク１２０は、それぞれ、ＲＳＳＩ測定、ＢＳＩＣ識別、およびＢＳＩＣ再確認の目的のためにギャップ１、ギャップ２およびギャップ３を提供する。ＵＭＴＳネットワーク１２０は、通常、すべての３個のギャップを同時に（例えば、音声呼出の開始時に）提供する。ＵＭＴＳネットワーク１２０は、様々な方法でギャップ１、ギャップ２およびギャップ３を定義することができる。
【００３９】
図７は、端末１５０に提供され得るギャップ１、ギャップ２およびギャップ３の例示的なセットを示す。表１は、ギャップ１、ギャップ２およびギャップ３のこの例示的なセットに関するパラメータを列挙する。表１では、２、３および４の伝送ギャップ測定目的（ＴＧＭＰ）は、それぞれ、ギャップ１、ギャップ２およびギャップ３に対応する。各ギャップは、ＴＧＰＲＣに関する０の値（表１内で示されない）によって示される、無限期間を有する。ギャップ１は、接続フレーム番号（ＴＧＣＦＮ）ｎで始まり、ギャップ２は接続フレーム番号ｎ＋２で始まり、ギャップ３は接続フレーム番号ｎ＋６で始まる。一般に、各ギャップに関するＴＧＣＦＮは、（１）２個の異なるギャップからの伝送ギャップが単一の無線フレーム内で衝突しないように、かつ（２）任意の３個の連続無線フレームからの２個以下の無線フレームが圧縮されるように選択される。
【００４０】
各ギャップは２個の伝送ギャップパターンを含む。各伝送ギャップアパターンは、８個の無線フレーム期間すなわち８０ｍｓを有し、４．６１５ｍｓの１つのＧＳＭフレームよりわずかに広い、７個のスロットすなわち幅４．６７ｍｓの１つの伝送ギャップを含む。各伝送ギャップパターン内の第２の伝送ギャップは、ＴＧＤを２７０スロットに設定することによって省略される。各ギャップ向けの伝送ギャップは、したがって、８０ｍｓだけ間隔が空けられる。ギャップ２内の伝送ギャップは、ギャップ１内の伝送ギャップに関して、２個の無線フレームすなわち２０ｍｓだけ遅延する。ギャップ３内の伝送ギャップは、ギャップ２内の伝送ギャップに関して、４個の無線フレームすなわち４０ｍｓだけ遅延する。
【表１】
2009528800.tif 000003
【００４１】
図７および表１は、セル測定のために割り当てられることが可能なギャップ１、ギャップ２およびギャップ３の例示的なセットを示す。ＵＭＴＳネットワーク１２０は、表１内で提示されたそれらの値と異なるパラメータ値を有するギャップを割り当てることも可能である。
【００４２】
図７はまた、５１フレームのマルチフレーム内のＧＳＭフレームに対するギャップ１、ギャップ２およびギャップ３の中の伝送ギャップの例示的な位置合わせ（alignment）も示す。ＵＭＴＳセルのタイミングは、ＧＳＭセルのタイミングに関して非同期である得るため、ギャップ１、ギャップ２およびギャップ３の伝送ギャップは、任意の所与の時点で、ＧＳＭフレームのうちのいずれかと重複する可能性がある。
【００４３】
端末１５０は、端末がＵＭＴＳネットワーク１２０から監視リストと伝送ギャップパターン系列とを初めて受信する場合、図５のブロック５１０、５２０および５３０の３つのタスクを順次に実行する。３つのタスクの各々は、下で説明されるように実行されることが可能である。
【００４４】
端末１５０は、監視リスト内のすべてのＧＳＭセルに関してブロック５１０でＲＳＳＩ測定を実行して、これらのＧＳＭセルに関してＲＳＳＩ測定のセットを取得する。端末１５０は、各ＧＳＭセルに関して少なくとも３つのＲＳＳＩサンプルを採取し、そのＧＳＭセルに関してＲＳＳＩ測定を取得するためにこれらのＲＳＳＩサンプルをフィルタ処理／平均化する。各ＲＳＳＩサンプルは、１つのＧＳＭセルの１つのＲＦチャネルに関する電力測定である。電力測定は、任意のＧＳＭフレーム内で行われ得る。端末１５０は、各ＧＳＭセル向けのＲＳＳＩサンプルの間隔を適時に可能な限り遠くはなす。これは、例えば、監視リスト内のＧＳＭセル全体にわたって３度巡回し、監視リスト全体にわたって各サイクル内の各ＧＳＭセルに関して１つのＲＳＳＩサンプルを採取することによって達成され得る。表２は、端末１５０が異なるギャップ長に関して各伝送ギャップを採取することが要求されるＲＳＳＩサンプルの最低数を列挙する。
【表２】
2009528800.tif 000004
【００４５】
ＲＳＳＩ走査を実行するために要求される総時間は、監視リスト内のＧＳＭセルの数、ＲＳＳＩ測定のために使用される伝送ギャップの数、ＲＳＳＩ測定のために使用される各伝送ギャップの期間に依存する。ＲＳＳＩ走査のために必要とされる無線フレームの数は以下のように計算され得る。
【数１】
2009528800.tif 000005
【００４６】
式中Ｎｃｅｌｌｓは、監視リスト内のＧＳＭセルの数であり、
ＴＧＰＬ１およびＴＧＰＬ１は、それぞれ、伝送ギャップ１および２の長さであり、
ｇ（ＴＧＬ１）およびｇ（ＴＧＬ２）は、それぞれ、伝送ギャップ１および２に関して取得され得るＲＳＳＩサンプルの数であり、
Ｆｓは、ＲＳＳＩ走査のために要求される無線フレームの数であり、
【数２】
2009528800.tif 000006
【００４７】
は、次により高い整数値を提供するシーリングオペレータ（ceiling operator）を示す。
【００４８】
方程式（１）で、ｉ＝１、２に関して、ｇ（ＴＧＬｉ）はＴＧＬｉの関数であり、表２内で提示される。ＧＳＭセルの数（Ｎｃｅｌｌｓ）および伝送ギャップ期間（ＴＧＬｉ）は、通常、ＵＭＴＳネットワーク１２０によって決定される。ＲＳＳＩ走査を完了するために要求される無線フレームの数Ｆｓは、ＲＳＳＩ測定のために使用される伝送ギャップの数に依存する。
【００４９】
実施形態では、ＲＳＳＩ走査のために要求される時間を削減するために、端末１５０は、各ＧＳＭセルの各ＡＲＦＣＮの代わりに独自のＡＲＦＣＮに関してＲＳＳＩサンプルを採取する。複数のＧＳＭセルに同じＡＲＦＣＮが割り当てられることが可能である。ＡＲＦＣＮに関するＲＳＳＩサンプルは、そのＡＲＦＣＮ上で送信するすべてのＧＳＭセルに関する総受信電力を含む。端末１５０は、通常、各ＧＳＭセルが総受信電力にどの程度貢献するかを決定するために何の努力も行わない。したがって、複数のＲＳＳＩサンプルが同じＡＲＦＣＮ上で送信する複数のＧＳＭセルに関して取得される場合、これらのＲＳＳＩサンプルは類似する可能性が高く、何らの差異は測定誤りおよび受信電力内の任意の変動によるものである。
【００５０】
端末１５０は、監視リスト内のすべてのＧＳＭセルに関して独自のＡＲＦＣＮを含む測定リストを形成することが可能である。端末１５０は、次いで、ＲＳＳＩサンプルを採取して、測定リスト内のＡＲＦＣＮに関してＲＳＳＩ測定を取得する。各ＧＳＭセルの各ＡＲＦＣＮには、次いで、そのＡＲＦＣＮに関するＲＳＳＩ測定が与えられる。測定リスト内の所与のＡＲＦＣＮに関するＲＳＳＩ測定は、１つまたは複数のＧＳＭセルに与えられるかまたは１つまたは複数のＧＳＭセルに帰されることが可能である。
【００５１】
ＲＳＳＩ測定を完了した後で、端末１５０は、監視リスト内のすべてのＧＳＭセルに関するＲＳＳＩ測定を等級づけし、８個の最強のＧＳＭセルを選択する。端末１５０は、次いで、各ＧＳＭセルのＢＳＩＣを識別する。端末１５０は、通常、最強のセルから開始して、次いで、次に最強のＧＳＭセルなど、順次に、８個の最強のＧＳＭセルに関してＢＳＩＣ識別を実行する。ＢＳＩＣ識別の場合、端末１５０は、３ＧＰＰ  ＴＳ２５．１３３で説明されるように、そのＢＳＩＣが知られていないＧＳＭセルに優先権を与える。
【００５２】
端末１５０は、２つのステップで所与のＧＳＭセルｘに関してＢＳＩＣ識別を実行することが可能である。ステップ１で、端末１５０は、ＦＣＣＨ上でＧＳＭセルｘによって送信されたトーンに関して検出する。ステップ２で、端末１５０は、そのＧＳＭセル向けのＢＳＩＣを取得するために、ＧＳＭセルｘによって送信されたＳＣＨバーストを復号する。図３および７に示されるように、ＦＣＣＨはＧＳＭフレーム０、１０、２０、３０および４０の中で送信され、ＳＣＨはＧＳＭフレーム１、１１、２１、３１および４１の中で送信される。端末１５０は、通常、ＧＳＭセルｘに関していかなるタイミング情報も有さない。したがって、端末１５０は、通常、ＧＳＭセルｘに関してトーンが検出されるまで、ＢＳＩＣ識別のために利用可能な各伝送ギャップ内のＧＳＭセルｘに関してトーン検出を実行する。トーン検出は、端末１５０に、ＧＳＭセルｘに関する周波数と粗いタイミング情報とを提供する。粗いタイミング情報は、端末１５０が（１つのＧＳＭフレーム内に）ＧＳＭセルｘ向けのＳＣＨがいつ送信されるかを確認することを可能にする。端末１５０は、次いで、ＳＣＨと位置合わせする次の伝送ギャップ内のＧＳＭセルｘに関してＳＣＨを復号することが可能である。
【００５３】
ステップ１の場合、トーン検出のために使用される第１の伝送ギャップは、図７に示されるように、５１フレームのマルチフレーム内のＧＳＭフレームのいずれかと重複する可能性がある。第１の伝送ギャップがＧＳＭセルｘ向けのＦＣＣＨと期せずして重複する場合、端末１５０は、１つの伝送ギャップ内のＧＳＭセルｘに関してトーンを検出することが可能である。しかし、第１の伝送ギャップがＧＳＭセルｘ向けのＦＣＣＨと位置合わせされない場合、端末１５０は、ＦＣＣＨ上のトーンを検出するために、１つまたは複数の追加の伝送ギャップを要求することができる。
【００５４】
実施形態では、端末１５０は、成功しなかったトーン検出の試みの記録を維持する。ＢＳＩＣ＿ＩＤリスト内の各ＧＳＭセルに関して、記録は、もしあれば、トーン検出が試みられ、そのＧＳＭセルに関して失敗したのはどのＧＳＭフレームかを表示することが可能である。トーン検出に対して利用可能な各伝送ギャップに関して、その伝送ギャップと重複するＧＳＭフレームが決定される。記録は、次いで、そのＧＳＭフレーム内でトーン検出がこれまでに失敗したすべてのＧＳＭセルを識別するために検査される。伝送ギャップは、次いで、このＧＳＭフレーム内でトーン検出がこれまでに失敗しなかったＧＳＭセルに割り当てられることが可能である。このように、所与のＧＳＭフレームがもう１つのＧＳＭセルに関するトーン検出のために使用されていない場合、トーン検出は、そのＧＳＭセルに関して同じＧＳＭフレーム上で複数回試みられない。
【００５５】
従来、端末１５０はＲＳＳＩ測定のためにギャップ１内の伝送ギャップだけを使用し、ＢＳＩＣ識別のためにギャップ２内の伝送ギャップを使用し、ＢＳＩＣ再確認のためにギャップ３内の伝送ギャップを使用する。この場合、端末１５０は、ギャップ１だけを使用して第１のＲＳＳＩ走査を完了するために長い時間を要求する可能性がある。この時間の間、ギャップ２およびギャップ３は使用されず、ネットワークリソースは無駄にされる。端末１５０は、ギャップ２だけを使用してＢＳＩＣ識別を実行するために長い時間を要求する可能性もある。この時間の間、ギャップ３は使用されず、本質的に無駄にされる。端末１５０がＧＳＭにハンドオーバされる必要がある場合、少なくとも１つのＧＳＭセルを識別して、可能な限り素早く第１の報告をＵＭＴＳネットワーク１２０に送信することが所望される。
【００５６】
多くの場合、端末１５０は、第１の報告を送信したすぐ後にＵＭＴＳからＧＳＭにハンドオーバされない。端末１５０は、ハンドオーバのための候補ＧＳＭセルの最新リストを維持するために、ＲＳＳＩ測定、ＢＳＩＣ識別、およびＢＳＩＣ再確認を連続的に実行することが可能である。端末１５０は、報告がトリガされるときはいつでも、ＵＭＴＳネットワーク１２０にＧＳＭセルを報告する。例えば、測定報告は、（事象トリガされた報告に関する）事象によって、（定期的報告に関する）タイマの終了によって等々、トリガされ得る。
【００５７】
態様では、端末１５０は、良好な性能を達成するために効率的な方法で割り当てられた伝送ギャップを利用する。端末１５０は、その指定された目的または代替の目的のために、伝送ギャップを利用することが可能である。これは、端末１５０が所与の任意の時点でハンドオーバのための良好なＧＳＭセルを素早くかつ効率的に識別することを可能にする。
【００５８】
表３は、異なる目的のための、３つの伝送ギャップパターン系列、すなわち、ギャップ１、ギャップ２およびギャップ３を列挙する。各ギャップに関して、表３は、そのギャップ向けの代替使用ならびに代替の目的のためにギャップを使用するための例示的な基準を列挙する。各ギャップ向けの代替の使用は下で詳細に説明される。以下の説明で、ＲＳＳＩギャップはギャップ１内の伝送ギャップであり、識別ギャップはギャップ２内の伝送ギャップであり、再確認ギャップはギャップ３内の伝送ギャップである。
【表３】
2009528800.tif 000007
【００５９】
実施形態では、端末１５０は、より短い時間量でＧＳＭセルに関するＲＳＳＩ測定の初期のセットを取得するために、３つのギャップ１、ギャップ２およびギャップ３すべてを使用して第１のＲＳＳＩ走査を実行する。端末１５０は、ＲＳＳＩ測定の初期のセットが取得されるまで、それぞれ、ＢＳＩＣ識別およびＢＳＩＣ再確認の指定された目的のためにギャップ２およびギャップ３を使用することができない。したがって、端末１５０は、より短い期間内に第１のＲＳＳＩ走査を完了するために、ギャップ２およびギャップ３ならびにギャップ１を効率的に利用することが可能である。
【００６０】
実施形態では、第１のＲＳＳＩ走査の後、端末１５０は、少なくとも１つのＧＳＭセルを素早く識別するために、ギャップ２およびギャップ３を使用して、または３つのギャップ１、ギャップ２およびギャップ３すべてを使用して、ＢＳＩＣ識別を実行する。端末１５０は、少なくとも１つのＧＳＭセルが識別した後まで、ＢＳＩＣ再確認の指定された目的のためにギャップ３を使用することができない。したがって、端末１５０は、より短い期間内にＧＳＭセルを識別するために、ギャップ３（および、場合によっては、ギャップ１）ならびにギャップ２を効率的に利用することが可能である。
【００６１】
少なくとも１つのＧＳＭセルが識別された後で、ギャップ１は、端末１５０がネットワークをあちこち移動するときでさえも最強のＧＳＭセルが識別されることを確実にするために、ＲＳＳＩ測定を行うため使用されるべきである。しかし、場合によっては、ＢＳＩＣ識別のためにギャップ１および／またはギャップ３を使用することが所望される。例えば、監視リストが新しいＧＳＭセルを用いて更新された場合、または再確認リストが空になった場合、ＢＳＩＣ識別のためにＲＳＳＩギャップのうちのいくつかまたはすべてを使用することは有利であり得る。さらに、場合によっては、ＢＳＩＣ識別のためにギャップ１および／またはギャップ３を使用することが所望される可能性がある。
【００６２】
図８は、ＲＳＳＩギャップを使用するためのプロセス８００の実施形態を示す。この実施形態では、再確認リストが空で、少なくとも１つの新しいＧＳＭセルが監視リストに加えられている場合、ＲＳＳＩギャップはＢＳＩＣ識別のために使用される。
【００６３】
再確認リストが空であるかどうかが決定される（ブロック８１２）。答えが、少なくとも１つのＧＳＭが識別されたことを意味する「いいえ」である場合、もう１つのＧＳＭセルをすぐに識別するよう促されなくてよい。この場合、ＲＳＳＩギャップはＲＳＳＩ測定のために使用され（ブロック８２４）、次いで、プロセスは終了する。再確認リストが空である場合、新しいＧＳＭセルが監視リストに加えられているかどうかが決定される（ブロック８１４）。監視リストがＵＭＴＳネットワーク１２０から初めて受信される場合、または新しいＧＳＭセルがＵＭＴＳネットワーク１２０からのシグナリングを経由して加えられる場合、監視リストは少なくとも１つの新しいＧＳＭセルを含む。答えが、ＢＳＩＣ識別が現在監視リスト内にあるＧＳＭセルに関してすでに試みられていることを意味する「いいえ」である場合、ＲＳＳＩギャップはＲＳＳＩ測定のために使用され（ブロック８２４）、次いで、プロセスは終了する。
【００６４】
少なくとも１つの新しいＧＳＭセルが監視リストに加えられている場合、監視リスト内のＧＳＭセルのすべてに関してＲＳＳＩ走査が実行される（ブロック８１６）。ＲＳＳＩ走査のために使用される無線フレームの数Ｆｓは、例えば、方程式（１）に示されるように決定される（ブロック８１８）。実施形態では、ＲＳＳＩギャップは、少なくとも１つの新しいＧＳＭセルを用いてＲＳＳＩ走査を実行した後で、ＢＳＩＣ識別のために使用される。実施形態では、ＢＳＩＣ識別のために使用するためのＲＳＳＩギャップの数は、ＲＳＳＩ走査のために使用されるＲＳＳＩギャップの数に等しいが、ＦｍｉｎからＦｍａｘの範囲内に制限される（ブロック８２０）。実施形態では、Ｆｍｉｎは２０個の無線フレームに等しく、Ｆｍａｘは１００個の無線フレームに等しい。ＦｍｉｎおよびＦｍａｘは、その他の値に設定されることも可能である。ブロック８２０に関して、ＦｓがＦｍａｘを超える場合、ＦｓはＦｍａｘに設定されることが可能であり、ＦｓがＦｍｉｎ未満である場合、ＦｓはＦｍｉｎに設定されることが可能である。次のＦｓ個の無線フレーム内のＲＳＳＩギャップは、次いで、ＢＳＩＣ識別のために使用される（ブロック８２２）。
【００６５】
図８は、少なくとも１つの新しいＧＳＭセルを用いてＲＳＳＩ走査を完了した後で、ＲＳＳＩギャップがＢＳＩＣ識別のために使用される特定の実施形態を示す。ＲＳＳＩギャップは、いくつかのその他の基準に基づいて、ＢＳＩＣ識別のために使用されることも可能である。
【００６６】
図９は、識別ギャップを使用するためのプロセス９００の実施形態を示す。プロセス９００は、そのギャップをＲＳＳＩ測定のために使用するか、ＢＳＩＣ識別のために使用するか、またはＢＳＩＣ再確認のために使用するかを決定するために各識別ギャップに関して実行されることが可能である。
【００６７】
ＢＳＩＣ＿ＩＤリストおよび再確認リストの両方が空であるかどうかが決定される（ブロック９１２）。答えが「はい」である場合、第１のＲＳＳＩ走査は完了されておらず、識別ギャップはＲＳＳＩ測定のために使用され（ブロック９１４）、次いで、プロセスは終了する。ブロック９１２に関する答えが「いいえ」である場合、再確認リストが空であるかどうかが決定される（ブロック９１６）。ブロック９１６に関する答えが「はい」である場合、再確認するためのＧＳＭセルは存在せず、識別ギャップはＢＳＩＣ識別のために使用され（ブロック９１８）、次いで、プロセスは終了する。再確認リストが空でない場合、適用可能な基準が満たされていれば、識別ギャップはセルの再確認のために使用され得る。
【００６８】
再確認リスト内の考慮されなかった最も古いセルが選択される（ブロック９２０）。最も古いセルは、最も古く再確認されたセルである。選択されたセルのＲＳＳＩ（ＲＳＳＩ＿ｓ）およびＢＳＩＣ＿ＩＤリスト内の最強のセルのＲＳＳＩ（ＲＳＳＩ＿ｂ）が決定される（ブロック９２２）。次いで、選択されたセルのＲＳＳＩが最強の識別されていないセルのＲＳＳＩをデルタＲＳＳＩだけ超えるかどうか、すなわちＲＳＳＩ＿ｓ＞ＲＳＳＩ＿ｂ＋ΔＲＳＳＩであるかどうかが決定される（ブロック９２４）。ΔＲＳＳＩは３デシベル（ｄＢ）またはいくつかのその他の値に設定されることが可能である。ブロック９２４に関する答えが「はい」である場合、選択されたセルがＴｒｅｃ秒内に再確認されていないかどうかが決定される（ブロック９２６）。Ｔｒｅｃは、再確認タイムアウト期間の半分、４分の３、またはいくつかのその他の割合に等しく設定されることが可能である。ブロック９２６に関する答えが「はい」である場合、選択されたセル向けのＳＣＨが識別ギャップに該当するかどうかが決定される（ブロック９２８）。ブロック９２８に関する答えが「はい」である場合、識別ギャップは選択されたセルのＢＳＩＣ再確認のために使用される（ブロック９３０）。
【００６９】
ブロック９２４、９２６および９２８のうちのいずれか１つに関する答えが「いいえ」である場合、選択されたセルは考慮から外され、再確認リスト内のすべてのセルが考慮されているかどうかが決定される（ブロック９３２）。答えが「いいえ」である場合、考慮のために再確認リスト内の次に最も古いセルを選択するために、プロセスはブロック９２０に戻る。再確認リスト内のすべてのセルが考慮されており、識別ギャップがこれらのセルのうちのいずれにも使用されない場合、ギャップはＢＳＩＣ識別のために使用され（ブロック９３４）、次いで、プロセスは終了する。
【００７０】
図９に示される実施形態では、第１のＲＳＳＩ走査が完了していない場合、識別ギャップはＲＳＳＩ測定のために使用される。そのＲＳＳＩが十分強く、最近再確認されておらず、そのＳＣＨが識別ギャップに該当する場合、識別ギャップは識別されたセルのＢＳＩＣ再確認のために使用される。識別ギャップは、いくつかのその他の基準に基づいて、ＲＳＳＩ測定またはＢＳＩＣ再確認のために使用されることも可能である。
【００７１】
図１０は、再確認ギャップを使用するためのプロセス１０００の実施形態を示す。プロセス１０００は、そのギャップをＲＳＳＩ測定のために使用するか、ＢＳＩＣ識別のために使用するか、またはＢＳＩＣ再確認のために使用するかを決定するために各再確認ギャップに関して実行されることが可能である。
【００７２】
ＢＳＩＣ＿ＩＤリストおよび再確認リストの両方が空であるかどうかが決定される（ブロック１０１２）。答えが「はい」である場合、第１のＲＳＳＩ走査は完了されておらず、再確認ギャップはＲＳＳＩ測定のために使用され（ブロック１０１４）、次いで、プロセスは終了する。ブロック１０１２に関する答えが「いいえ」である場合、再確認リストが空であるかどうかが決定される（ブロック１０１６）。ブロック１０１６に関する答えが「はい」である場合、再確認するためのＧＳＭセルは存在せず、再確認ギャップはＢＳＩＣ識別のために使用され（ブロック１０１８）、次いで、プロセスは終了する。
【００７３】
再確認リストが空でない場合、再確認リストの中の考慮されていない最も古いセルが選択される（ブロック１０２０）。選択されたセル向けのＳＣＨが再確認ギャップに該当するかどうかが決定される（ブロック１０２２）。答えが「はい」である場合、再確認ギャップは選択されたセルのＢＳＩＣ再確認のために使用され（ブロック１０２４）、次いで、プロセスは終了する。ブロック１０２２に関する答えが「いいえ」である場合、選択されたセルは考慮から外され、再確認リストの中のすべてのセルが考慮されているかどうかが決定される（ブロック１０２６）。答えが「いいえ」である場合、考慮のために再確認リストの中の次に最も古いセルを選択するために、プロセスはブロック１０２０に戻る。そうでない場合、再確認リストの中のすべてのセルが考慮されており、そのリスト内のセルのいずれも再確認ギャップを使用することができない場合、そのギャップはＢＳＩＣ識別のために使用される（ブロック１０２８）。
【００７４】
図１０に示される実施形態では、第１のＲＳＳＩ走査が完了していない場合、再確認ギャップはＲＳＳＩ測定のために使用される。そのギャップが再確認リスト内の任意のセルの再確認のために使用され得ない場合、再確認ギャップはＢＳＩＣ識別のために使用される。再確認ギャップはまた、いくつかのその他の基準に基づいて、ＲＳＳＩ測定またはＢＳＩＣ識別のためにも使用され得る。例えば、再確認ギャップは、そのセルが十分強いＲＳＳＩを有し、そのギャップを使用することができる場合、識別されていないセルのＢＳＩＣ識別のために使用され得る。
【００７５】
図１１は、伝送ギャップを効率的に使用するためのプロセス１１００の実施形態を示す。プロセス１１００は、端末に割り当てられた各伝送ギャップに関して実行されることが可能である。伝送ギャップに関して指定された目的が決定される（ブロック１１１２）。伝送ギャップが代替の目的のために使用可能であるかどうが、少なくとも１つの基準に基づいて決定される（ブロック１１１４）。
【００７６】
伝送ギャップに関して指定された目的は、ＢＳＩＣ識別またはＢＳＩＣ再確認であり得、例えば、第１のＲＳＳＩ走査が完了しておらず、識別のためにセルが利用可能でない場合、伝送ギャップはＲＳＳＩ測定のために使用されることが可能である。指定された目的はＢＳＩＣ再確認であり得、例えば、セルが識別されていない場合、または伝送ギャップが再確認リスト内の任意の識別されたセルの再確認のために使用可能でない場合、伝送ギャップはＢＳＩＣ識別のために使用されることが可能である。指定された目的はＢＳＳＩ測定であり得、例えば、セルが確認されていない場合および／または少なくとも１つの新しいセルに関してＲＳＳＩ測定が行われている場合、伝送ギャップはＢＳＩＣ識別のために使用されることが可能である。指定された目的はＢＳＩＣ識別であり得、識別されたセルが十分強く、特定の期間内に再確認されておらず、伝送ギャップを用いて再確認され得る場合、伝送ギャップはＢＳＩＣ再確認のために使用されることが可能である。一般に、伝送ギャップは、任意の基準に基づいて代替の目的のために使用されることが可能である。
【００７７】
少なくとも１つの基準が満たされる場合、伝送ギャップは代替の目的のために使用される（ブロック１１１６）。少なくとも１つの基準が満たされない場合、伝送ギャップは指定された目的のために使用される（ブロック１１１８）。
【００７８】
図１２は、ＵＭＴＳネットワーク１２０内の基地局１２２ｘおよび端末１５０のブロック図を示す。ダウンリンク上、基地局１２２ｘで、送信（ＴＸ）データプロセッサ１２１２は、端末１５０のために、トラフィックデータおよびシグナリングをフォーマット、符号化、およびインタリーブする。変調器（ＭＯＤ）１２１４は、ＴＸデータプロセッサ１２１２のアウトプットをチャネル化（channelizes）／拡散、スクランブル、および変調して、チップの流れを提供する。ＵＭＴＳ内のトラフィックデータおよびシグナリングの処理は、３ＧＰＰ  ＴＳ２５−３２１、ＴＳ２５−３０８、ＴＳ２５−２１２、およびその他の３ＧＰＰ文書で説明される。送信機（ＴＭＴＲ）１２１６は、チップの流れを調整（例えば、アナログに変換、増幅、フィルタ処理、および周波数アップコンバート）して、アンテナ１２２４を経由して送信されるダウンリンク信号を生成する。
【００７９】
端末１５０で、アンテナ１２５２は、基地局１２２ｘならびにＧＳＭネットワーク内およびＵＭＴＳネットワーク内のその他の基地局からダウンリンク信号を受信する。アンテナ１２５２は、受信信号を受信機（ＲＣＶＲ）１２５４に提供する。受信機１２５４は、インプットサンプルを取得するために、受信信号を調整（例えば、フィルタ処理、増幅、周波数ダウンコンバート、およびデジタル化）する。復調器（ＤＥＭＯＤ）１２５６は、インプットサンプルを逆スクランブル、逆チャネル化／逆拡散、および復調して、基地局１２２ｘによって送信されたデータ記号の推定である記号推定を提供する。受信（ＲＸ）データプロセッサ１２５８は、記号推定をディインタリーブおよび復号し、受信パケットを検査して、復号されたデータを提供する。復調器１２５６およびＲＸデータプロセッサ１２５８による処理は、それぞれ、変調器１２１４およびＴＸデータプロセッサ１２１２による処理に対して補完的である。
【００８０】
アップリンク上で、トラフィックデータおよびシグナリングは、ＴＸデータプロセッサ１２８２によって処理されて、変調器１２１４によってさらに処理され、送信機１２８６によって調整され、アンテナ１２５２を経由して送信される。基地局１２２ｘで、アップリンク信号はアンテナ１２２４によって受信されて、受信機１２４２によって調整され、復調器１２４４によって処理され、アップリンクデータおよびシグナリングを回復するために、ＲＸデータプロセッサ１２４６によってさらに処理される。
【００８１】
コントローラ／プロセッサ１２３０および１２７０は、それぞれ、基地局１２２ｘおよび端末１５０で動作を制御する。メモリ１２３２および１２７２は、それぞれ、基地局１２２ｘおよび端末１５０のためにデータおよびプログラムコードを記憶する。コントローラ／プロセッサ１２７０は、図８のプロセス８００、図９のプロセス９００、図１０のプロセス１０００、および／または図１１のプロセス１１００を実施することも可能である。コントローラ／プロセッサ１２７０は、ＵＭＴＳネットワーク１２０から監視リストおよび伝送ギャップパターン系列を受信する。コントローラ／プロセッサ１２７０は、割り当てられた伝送ギャップパターン系列内の伝送ギャップによって決定された時間間隔でＧＳＭセルに関して測定を行うよう受信機１２４５に指令する。これらのセル測定は、ＲＳＳＩ測定、（ＢＳＩＣ識別のための）トーン検出、および（ＢＳＩＣ識別および再確認のための）ＳＣＨ復号のためであり得る。セル測定の完了時に、および報告事象がトリガされるときはいつでも、コントローラ／プロセッサ１２７０は、測定報告を生成して、その報告をＵＭＴＳネットワーク１２０に送信する。
【００８２】
明瞭さのために、セル測定技術は、ＧＳＭネットワークおよびＵＭＴＳネットワークに関して詳細に説明されている。これらの技術は、その他の無線技術を実施することが可能な、その他のタイプのネットワークのために使用されることも可能である。
【００８３】
本明細書で説明されたセル測定技術は、様々な手段で実施されることが可能である。例えば、これらの技術は、ハードウェア、ファームウェア、ソフトウェア、またはそれらの組合せで実施されることが可能である。ハードウェア実施の場合、セル測定を実行するために使用される処理装置は、特定用途向け集積回路（ＡＳＩＣ）、デジタル信号プロセッサ（ＤＳＰ）、デジタル信号処理装置（ＤＳＰＤ）、プログラム可能な論理装置（ＰＬＤ）、フィールドプログラム可能なゲートアレー（ＦＰＧＡ）、プロセッサ、コントローラ、マイクロコントローラ、マイクロプロセッサ、電子装置、本明細書で説明される機能を実行するように設計されたその他の電子ユニット（electronic units）、またはそれらの組合せの１つまたは複数の形で実施されることが可能である。
【００８４】
ファームウェアおよび／またはソフトウェア実施の場合、この技術は、本明細書で説明される機能を実行するモジュール（例えば、手順、機能など）を用いて実施されることが可能である。ファームウェアコードおよび／またはソフトウェアコードは、メモリ（例えば、図１２のメモリ１２７２）内に記憶されて、プロセッサ（例えば、プロセッサ１２７０）によって実行されることが可能である。メモリはプロセッサ内で実装されることが可能であり、またはプロセッサの外部で実装されることも可能である。
【００８５】
開示された実施形態のこれまでの説明は、当業者が本発明を行うまたは使用することを可能にするために提供される。これらの実施形態への様々な修正形態は、当業者に容易に明らかになるであろう。また本明細書で定義される一般的な原理は、本発明の精神または範囲から逸脱せずに、その他の実施形態に適用されることが可能である。したがって、本発明は、本明細書に示される実施形態に限定されず、本明細書で開示される原理および新規性のある特徴に一致する最大範囲が与えられる。
【図面の簡単な説明】
【００８６】
【図１】ＧＳＭネットワークおよびＵＭＴＳネットワークを示す図。
【図２】ＵＭＴＳ内のダウンリンクに関するフレーム構造を示す図。
【図３】ＧＳＭ内のフレーム構造を示す図。
【図４】ＵＭＴＳ内の圧縮されたモード伝送を示す図。
【図５】ＧＳＭセルを測定するためのプロセスを示す図。
【図６】端末によって維持される３つのセルリストを示す図。
【図７】異なる目的のための３つの伝送ギャップパターン系列を示す図。
【図８】ギャップ１内でＲＳＳＩギャップを使用するためのプロセスを示す図。
【図９】ギャップ２内で識別ギャップを使用するプロセスを示す図。
【図１０】ギャップ３内で再確認を使用するプロセスを示す図。
【図１１】伝送ギャップを効率的に使用するためのプロセスを示す図。
【図１２】基地局および端末のブロック図を示す図。
【図１】
2009528800.tif 000008
【図２】
2009528800.tif 000009
【図３】
2009528800.tif 000010
【図４】
2009528800.tif 000011
【図５】
2009528800.tif 000012
【図６】
2009528800.tif 000013
【図７】
2009528800.tif 000014
【図８】
2009528800.tif 000015
【図９】
2009528800.tif 000016
【図１０】
2009528800.tif 000017
【図１１】
2009528800.tif 000018
【図１２】
2009528800.tif 000019
【国際調査報告】
2009528800.tif 000020
2009528800.tif 000021